(57)【要約】  本発明は、メディアファイルを記憶する装置に関する。メディアファイルの一部は、装置に関連付けられたイベントに応じて、識別され、再生される。一実施形態において、既存のオーディオファイルが受信した着呼に応じた着信音として使用されてもよい。
2010527532.tif 000002
【特許請求の範囲】
【請求項１】
モバイル通信デバイス内の既存のメディアファイルの一部を特定するステップと、
着信呼を受信するステップと、
受信した前記着信呼に応じて、前記既存のメディアファイルの特定された特定部分を再生するステップと
を含むことを特徴とする方法。
【請求項２】
前記既存のメディアファイルの前記特定部分は、開始時間の指示値及び終了時間の指示値を含むことを特徴とする請求項１に記載の方法。
【請求項３】
前記既存のメディアファイルの前記特定部分は、開始時間の指示値及び終了時間の指示値の１つを含むことを特徴とする請求項１に記載の方法。
【請求項４】
前記既存のメディアファイルは、デジタル権利管理メディアファイルを含むことを特徴とする請求項１に記載の方法。
【請求項５】
前記既存のメディアファイルは、デジタル権利管理によって保護されていることを特徴とする請求項１に記載の方法。
【請求項６】
前記既存のメディアファイルは、オーディオファイル、ビデオファイル、又はマルチメディアファイルであることを特徴とする請求項１に記載の方法。
【請求項７】
前記モバイル通信デバイス内の既存のメディアファイルの一部を特定する前記ステップは、前記既存のメディアファイル特定可能な部分を自動的に特定するステップを含むことを特徴とする請求項１に記載の方法。
【請求項８】
前記既存のメディアファイルの特定可能な部分は、前記既存メディアファイルのコーラス部分を含むことを特徴とする請求項１に記載の方法。
【請求項９】
既存のメディアファイルの一部を特定するステップと、
前記特定された特定部分を動作に割り当てるステップと、
前記割り当てた動作に従って前記既存のメディアファイルの前記特定部分を再生するステップと
を含むことを特徴とする方法。
【請求項１０】
前記動作は、着信呼の受信、着信メッセージの受信、アラートの実行、リマインダの実行、背景画像の表示、スクリーンセーバの表示、又は、発信者識別エレメントの表示を含むことを特徴とする請求項９に記載の方法。
【請求項１１】
既存のメディアファイルの一部を特定する前記ステップは、
前記既存メディアファイル内での開始時間を特定するステップと、
前記既存メディアファイル内での終了時間を特定するステップと
を含むことを特徴とする請求項９に記載の方法。
【請求項１２】
既存のメディアファイルの一部を特定する前記ステップは、
前記既存のメディアファイルの特定可能な部分を自動的に判定するステップと、
前記既存のメディアファイルの一部の開始時間を、前記自動的に判定された特定可能な部分の開始時間に設定するステップと、
前記既存のメディアファイルの一部の終了時間を、前記自動的に判定された特定可能な部分の終了時間に設定するステップと
を含むことを特徴とする請求項９に記載の方法。
【請求項１３】
前記既存のメディアファイルの一部の開始時間、又は、前記既存のメディアファイルの一部の終了時間の調整値を受信するステップをさらに含むことを特徴とする請求項１２に記載の方法。
【請求項１４】
モバイルデバイスであって、
ディスプレイと、
スピーカと、
既存のメディアファイルを格納するメモリと、
前記既存のメディアファイルの一部を特定する第１ロジック部と、
前記モバイルデバイスに関連する動作の実行に、前記特定された特定部分を割り当てる第２ロジック部と、
実行コマンドに応じて、前記ディスプレイ及び前記スピーカの少なくとも１つを介して、前記既存のメディアファイルの前記特定部分を出力する第３ロジック部と
を備えることを特徴とするモバイルデバイス。
【請求項１５】
前記第１ロジック部は、さらに、前記既存のメディアファイルの前記特定部分の表示を前記ディスプレイに出力することを特徴とする請求項１４に記載のモバイルデバイス。
【請求項１６】
前記第１ロジック部は、さらに、前記既存のメディアファイルの前記特定部分に対する調整値を受信することを特徴とする請求項１４に記載のモバイルデバイス。
【請求項１７】
前記動作は、受信呼に応じて発生される着信音再生コマンドを含むことを特徴とする請求項１４に記載のモバイルデバイス。
【請求項１８】
前記動作は、受信メッセージに応じて発生されるメッセージアラート再生コマンドを含むことを特徴とする請求項１４に記載のモバイルデバイス。
【請求項１９】
前記モバイルデバイスは、携帯通信デバイスを含むことを特徴とする請求項１４に記載のモバイルデバイス。
【請求項２０】
携帯通信デバイスであって、
オーディオ及びビデオを出力する手段と、
メディアファイルを格納する手段と、
前記格納されたメディアファイルの一部を特定する手段と、
前記特定した特定部分をイベントに割り当てる手段と、
前記割り当てられたイベントに応じて、前記格納されたメディアファイルの前記特定部分を出力する手段と
を備えることを特徴とする携帯通信デバイス。
【請求項２１】
前記格納されたメディアファイルの前記特定部分は、前記格納されたメディアファイルの全体よりも小さいことを特徴とする請求項２０に記載の携帯通信デバイス。
【発明の詳細な説明】
【技術分野】
【０００１】
本発明は、一般に、モバイル通信デバイスの動作に関し、特に、モバイル通信デバイスにおいて、メディアを選択し、当該メディアを使用するシステム及び方法に関するものである。
【背景技術】
【０００２】
セルラ電話機やパーソナルメディアプレーヤなどのモバイル通信デバイス及び他の電子デバイスが次第に多用化されてきている。そのようなデバイスに関連付けられた音響の及び視覚のアラート、例えば、着信音、背景画像、警報音等は、通常、デバイスに設けられるか、又は、有料でデバイスに関連付けられたサービスプロバイダから取得されてもよい。或いは、そのようなディスプレイ及びアラート・エレメントは、追加のユーザデバイス、例えば、パーソナルコンピュータで生成し、編集され、その後に使用される際にモバイルデバイスにアップロードされてもよい。大抵の場合、サービスプロバイダ及びデバイス製造メーカの少なくとも一方は、個別のアラート、及び、オーディオ画像／動画の少なくとも一方を生成するユーザの能力を制限している。
【発明の概要】
【０００３】
一形態によれば、本方法は、モバイル通信デバイス内の既存のメディアファイルの一部を特定するステップと、着信呼を受信するステップと、受信した前記着信呼に応じて、前記既存のメディアファイルの特定された特定部分を再生するステップとを含む。
【０００４】
また、前記既存のメディアファイルの前記特定部分は、開始時間の指示値及び終了時間の指示値を含む。
【０００５】
また、前記既存のメディアファイルの前記特定部分は、開始時間の指示値及び終了時間の指示値の１つを含む。
【０００６】
また、前記既存のメディアファイルは、デジタル権利管理メディアファイルを含む。
【０００７】
また、前記既存のメディアファイルは、デジタル権利管理によって保護されている。
【０００８】
また、前記既存のメディアファイルは、オーディオファイル、ビデオファイル、又はマルチメディアファイルである。
【０００９】
また、前記モバイル通信デバイス内の既存のメディアファイルの一部を特定する前記ステップは、前記既存のメディアファイル特定可能な部分を自動的に特定するステップを含む。
【００１０】
また、前記既存のメディアファイルの特定可能な部分は、前記既存メディアファイルのコーラス部分を含む。
【００１１】
他の形態によれば、本方法は、既存のメディアファイルの一部を特定するステップと、前記特定された特定部分を動作に割り当てるステップと、前記割り当てた動作に従って前記既存のメディアファイルの前記特定部分を再生するステップとを含む。
【００１２】
また、前記動作は、着信呼の受信、着信メッセージの受信、アラートの実行、リマインダの実行、背景画像の表示、スクリーンセーバの表示、又は、発信者識別エレメントの表示である。
【００１３】
また、既存のメディアファイルの一部を特定する前記ステップは、前記既存メディアファイル内での開始時間を特定するステップと、前記既存メディアファイル内での終了時間を特定するステップとを含む。
【００１４】
また、既存のメディアファイルの一部を特定する前記ステップは、前記既存のメディアファイルの特定可能な部分を自動的に判定するステップと、前記既存のメディアファイルの一部の開始時間を、前記自動的に判定された特定可能な部分の開始時間に設定するステップと、前記既存のメディアファイルの一部の終了時間を、前記自動的に判定された特定可能な部分の終了時間に設定するステップとを含む。
【００１５】
また、前記既存のメディアファイルの一部の開始時間、又は、前記既存のメディアファイルの一部の終了時間の調整値を受信するステップをさらに含む。
【００１６】
他の形態によれば、モバイルデバイスとして実現できる。モバイルデバイスは、ディスプレイと、スピーカと、既存のメディアファイルを格納するメモリと、前記既存のメディアファイルの一部を特定する第１ロジック部と、前記モバイルデバイスに関連する動作の実行に、前記特定された特定部分を割り当てる第２ロジック部と、実行コマンドに応じて、前記ディスプレイ及び前記スピーカの少なくとも１つを介して、前記既存のメディアファイルの前記特定部分を出力する第３ロジック部とを備える。
【００１７】
また、前記第１ロジック部は、さらに、前記既存のメディアファイルの前記特定部分の表示を前記ディスプレイに出力する。
【００１８】
また、前記第１ロジック部は、さらに、前記既存のメディアファイルの前記特定部分に対する調整値を受信する。
【００１９】
また、前記動作は、受信呼に応じて発生される着信音再生コマンドを含む。
【００２０】
また、前記動作は、受信メッセージに応じて発生されるメッセージアラート再生コマンドを含む。
【００２１】
また、前記モバイルデバイスは、携帯通信デバイスを含むことを特徴とする。
【００２２】
他の形態によれば、携帯通信デバイスとして実現できる。携帯通信デバイスは、オーディオ及びビデオを出力する手段と、メディアファイルを格納する手段と、前記格納されたメディアファイルの一部を特定する手段と、前記特定した特定部分をイベントに割り当てる手段と、前記割り当てられたイベントに応じて、前記格納されたメディアファイルの前記特定部分を出力する手段とを備える。
【００２３】
また、前記格納されたメディアファイルの前記特定部分は、前記格納されたメディアファイルの全体よりも小さい。
【００２４】
他の特徴及び本発明の利点は、以下の詳細な説明から当業者には容易に明らかになるであろう。本実施形態では、本発明を実施するための最良の実施形態の図面を示し、説明する。本発明は、本発明から逸脱することなく、様々な自明の事項において変更が可能である。つまり、各図面は、実際には概略図であり、限定的なものとして提示するわけではない。
【図面の簡単な説明】
【００２５】
【図１】モバイルデバイスの一例を示す図である。
【図２】図１に示すモバイル端末の詳細を示す図である。
【図３】モバイル端末の感知された動作に基づいて、オーディオ出力の操作コマンドを受信した場合の図２のモバイル端末の動作例を示すフローチャートである。
【図４】図１の電子デバイスユーザインタフェースの一例を示す図である。
【図５】図１の電子デバイスユーザインタフェースの一例を示す図である。
【図６】図１の電子デバイスユーザインタフェースの一例を示す図である。
【図７】着信音として既存のメディアファイルの特定部分を使用する場合の図１のモバイル端末の動作例を示すフローチャートである。
【発明を実施するための形態】
【００２６】
以下では、本発明の詳細な説明を添付の図面を参照しながら説明する。異なる図面において同一の参照番号は、同一の又は同様のエレメントを特定する。また、以下の詳細な説明は本発明を限定しない。その代わりに、添付の特許請求の範囲によって、本発明の範囲が定義される。
【００２７】
＜電子デバイスの一例＞
図１は、本発明に係るデバイスの一実施形態を示す図である。当該デバイスは、携帯電子デバイスの何れのタイプでもよい。本デバイスは、ここでは特にモバイル端末１１０として説明される。モバイル端末１１０は、無線電話機、又は、データ処理機能、ファクシミリ機能、及びデータ通信機能の少なくとも１つを有するセルラ電話機を組み込んだパーソナル通信システム（ＰＣＳ）端末を含むことができる。ここで説明する種々の形態が例えば携帯メディアプレーヤ、携帯情報端末（ＰＤＡ）、スマートフォンなどの種々の電子デバイスに実装されてもよいことが理解されるべきである。
【００２８】
モバイル端末１１０は、筐体１６０、キーパッド１１５、制御キー１２０、スピーカ１３０、ディスプレイ１４０及びマイク１５０を備える。筐体１６０は、当該デバイス及びモバイル端末１１０で使用されるコンポーネントを支持するように構成された構造を有する。例えば、筐体１６０は、プラスチック、金属又は非金属によって形成され、キーパッド１１５、制御キー１２０、スピーカ１３０、ディスプレイ１４０及びマイク１５０を支持するように構成される。
【００２９】
キーパッド１１５は、モバイル端末１５０を操作するために使用するデバイス及びロジックを含むことができる。キーパッド１１５は、さらに、直接的に、又は、モバイル端末１１０に情報を入力するためのスタイラスなどの他のデバイスを介して、ユーザ入力を受信する。一実施形態において、モバイル端末１１０の通信機能は、キーパッド１１５のキーを作動することによって制御される。当該キーは、番号、文字、記号などに関連付けられたキー情報を有する。ユーザは、呼を制御したり、モバイル端末１１０に対して数字、コマンド、テキストメッセージを入力するために、キーパッド１１５を使用する。指定したファンクションキーは、モバイル端末１１０のメディアプレーヤ機能を操作する。
【００３０】
制御キー１２０は、ユーザが通信デバイス１１０とやり取りするボタンを含む。当該ボタンは、通信デバイス１１０に、ディスプレイ１４０と情報をやり取りするなどの特定の動作を実行させる。例えば、制御キー１２０のユーザ動作は、ディスプレイ１４０に設けられたユーザインタフェースのエレメントに、強調表示や選択表示を行なわせ、それにより、選択された１つ以上のエレメントとその後の情報のやり取りを可能にする。
【００３１】
スピーカ１３０は、可聴情報又はアラートをモバイル端末１１０のユーザに提供するデバイスを含む。スピーカ１３０は、モバイル端末１１０上であればどこに配置されてもよく、ユーザがモバイル端末１１０を用いて通信を行なう際に受話器として機能してもよい。スピーカ１３０は、モバイル端末１１０内の様々な位置に設けられたいくつかのスピーカ・エレメントを含むことができる。スピーカ１３０は、デジタル信号をアナログ信号に変換するためのデジタル−アナログ変換器を含むことができる。また、スピーカ１３０は、通信デバイス１１０によって着呼が受信されていることを示す着信音用の出力デバイスとして機能してもよい。さらに、スピーカ１３０は、リマインダなどの発生を示すだけでなく、テキストメッセージ若しくはマルチメディアメッセージ、電子メール、又はインスタントメッセージの受信を示す可聴アラート用の出力デバイスとして機能してもよい。以下でより詳細に説明するが、スピーカ１３０からのオーディオコンテンツの出力は、モバイル端末１１０によって選択されるか、又は、特定されてもよい。
【００３２】
ディスプレイ１４０は、ユーザにビジュアル画像を提供するデバイスを含む。例えば、ディスプレイ１４０は、着呼／発呼、テキストメッセージ、ゲーム、電話帳、現在の日時、音量設定などに関するグラフィック情報を、モバイル端末１１０のユーザに提供する。本実施形態に係るディスプレイ１４０には、白黒又はカラーのフラットパネルディスプレイが実装されてもよい。
【００３３】
マイク１５０は、モバイル端末１１０によって使用するために、音声又は音響信号を電子信号に変換するデバイスを含むことができる。また、マイク１５０は、入力アナログ信号をデジタル信号へ変換するアナログ−デジタル変換器を含むことができる。マイク１５０は、モバイル端末１１０のどこに配置されてもよく、例えば、モバイル端末１０によって使用するために、発せられた単語又はフレーズを電子信号に変換するように構成されうる。
【００３４】
図２は、モバイル端末１１０のさらに詳細な例を示す図である。モバイル端末１１０は、無線周波数（ＲＦ）アンテナ２１０、トランシーバ２２０、変調器／復調器２３０、符号器／復号器２４０、処理部２５０、メモリ２６０、入力デバイス２７０及び出力デバイス２８０を備える。これらのコンポーネントは、１本以上のバス（不図示）を介して接続されてもよい。さらに、モバイル端末１１０は、１つ以上の電力供給部（不図示）を備えてもよい。当業者には、モバイル端末１１０が多くの他の方法で構成され、他のエレメント又は異なるエレメントを含むことができることが理解されるであろう。ＲＦアンテナ２１０は、ＲＦ信号を送受信可能な１本以上のアンテナを含むことができる。一実施形態において、ＲＦアンテナ２１０は、１つ以上の方向及び前方向の少なくとも一方のアンテナを含むことができる。トランシーバ２２０は、ＲＦアンテナ２１０を介して情報を送受信するためのコンポーネントを含むことができる。他の実施形態において、トランシーバ２２０は、送信機と受信機とに区別された形態をとってもよく、単一のコンポーネントとして実装されてもよい。変調器／復調器２４０は、データ信号を搬送信号と合成紙、搬送信号からデータ信号を抽出するコンポーネントを含むことができる。変調器／復調器２４０は、モバイル端末１１０の他のデバイスと通信するために、アナログ信号をデジタル信号に、又はその逆に変換するコンポーネントを含むことができる。
【００３５】
符号器／復号器２４０は、送信すべきデジタル入力を符号化し、かつ、受信した符号化入力を復号化するための回路を含むことができる。処理部２５０は、プロセッサ、マイクロプロセッサ、特定用途向け集積回路（ＡＳＩＣ）、又は、フィールド・プログラマブル・ゲートアレイ（ＦＰＧＡ）などを含むことができる。処理部２５０は、モバイル端末１１０の動作を制御するために、ソフトウェアのプログラム又はデータ構造を実行してもよい。メモリ２６０は、処理部２５０によって実行するための情報や命令を記憶するためのランダムアクセスメモリ（ＲＡＭ）若しくは他のタイプの動的記憶装置、処理部２５０によって使用するための静的情報及び命令を記憶する読取り専用メモリ（ＲＯＭ）若しくは他のタイプの静的記憶装置、及び、他のタイプの磁性若しくは光学の記憶媒体とそれに対応するドライブの少なくとも１つを含むことができる。また、追加の又は変形例として、処理部２５０によって使用される命令は、他のタイプの、処理部２５０によってアクセス可能なコンピュータで読取可能な記憶媒体に記憶されてもよい。コンピュータで読取可能な記憶媒体は、１つ以上のメモリデバイスを含むことができる。
【００３６】
入力デバイス２７０は、操作者がモバイル端末１１０に情報を入力するための任意の機構、例えば、マイク１５０又はキーパッド１１５などを含むことができる。出力デバイス２８０は、ディスプレイ１４０又はスピーカ１３０を含む、操作者に情報を出力する任意の機構を含むことができる。出力デバイス２８０は、モバイル端末１１０を振動させるバイブレータ機構を含むことができる。
【００３７】
モバイル端末１１０は、例えば、モバイル端末１１０の主要機能の動作、又は、サードパーティ・プロバイダによって提供されるソフトウェアプリケーションなどのモバイル端末１１０に関連する追加アプリケーションの動作に関連する処理を実行してもよい。モバイル端末１１０は、メモリ２６０などのコンピュータで読取可能な媒体に含まれる一連の命令を実行する処理部２５０に応じて動作を実行してもよい。コンピュータで読取可能な媒体が１つ以上のメモリデバイス及び搬送波の少なくとも１つを含むことができることが理解されるべきである。メモリ２６０に含まれる一連の命令の実行は、処理部２５０に以下で説明する動作を実行させる。他の実施形態において、本発明に係る処理実装するために、ソフトウェア命令の代わりに、又は、ソフトウェア命令との組み合わせで使用される配線で接続された回路が使用されてもよい。このように、本発明に係る実施形態は、ハードウェア回路とソフトウェアとの任意の特定の組み合わせに限定されるわけではない。
【００３８】
＜処理例＞
図３は、既存ファイルの一部を、可聴若しくは視覚のアラート、着信音、背景画像、ビデオ発信者識別エレメントなどとして、その後使用するために、特定し、構成するモバイル端末１１０の動作の一例を示すフローチャートである。適切なメディアファイルは、オーディオファイル、ビデオファイル、アニメーションファイル又はその他のメディアファイルを含むことができる。オーディオファイルの一例としては、ｍｐ３（ｍｐｅｇ−３レイヤ２）、ｗｍａ（ウィンドウズ・メディア・オーディオ）、ｏｇｇ（オッグ・ボルビス）、ａｃｃ（アドバンスド・オーディオ・コーデック）、ｆｌａｃ（フリー・ロス・オーディオ・コーデック）などの種々のオーディオフォーマットを用いて符号化されたものが含まれてもよい。ビデオファイルの一例としては、ｍｐ４（ｍｐｅｇ−４）、３ｇｐ（第３世代プロジェクト）、ｗｍｖ（ウィンドウズ・メディア・ビデオ）、ｍｏｖ（アップル・クイックタイム）、Ｄｉｖｘ、ｘｖｉｄ、ａｖｉ（オーディオ・ビデオ・インタリーブ）などの種々のビデオフォーマットを用いて符号化されたものが含まれてもよい。アニメーションファイルの一例としては、スケーラブル・ベクトル・グラフィックス（ＳＶＧ）又はフラッシュ・マルチメディア・ファイル（ＳＷＦ又はＦＬＭ）が含まれてもよい。
【００３９】
既存のメディアファイルの一部を特定するためのコマンドを受信すると、モバイル端末１１０において処理が開始される（ブロック３００）。例えば、ポピュラーソングなどのオーディオファイル又はマルチメディアファイルの再生中に、モバイル端末１１０は、”アラート／トーンの部分設定”コマンド又はその他の適切な命令を受信してもよい。さらに、着信音に加えて、類似の”ビデオの部分設定”コマンドがビデオファイル、アニメーションファイル、又はその他のマルチメディアファイルの再生中に受信されてもよい。
【００４０】
或いは、再生環境の出力側において、メディア選択が開始されてもよい。例えば、着信音又はアラート管理を提供する一方で、モバイル端末１１０は、特定した既存のメディアファイルに基づく、新たな着信音又はアラートを特定するか、又は、設定するコマンドを受信してもよい。同様に、背景画像又は写真発信者ＩＤ管理を提供する一方で、モバイル端末１１０は、ディスプレイ・エレメント（壁紙又はスクリーンセーバなどの）、又は写真発信者ＩＤエレメントを特定するか、又は設定するコマンドを受信してもよい。
【００４１】
図４は、メディアファイルの再生中にディスプレイ１４０に設けられたユーザインタフェース４００の一例を示す図である。ここで説明する形態によれば、インタフェース４００は、アーティスト、タイトル及びアルバム情報などのファイル情報や、ファイル内の現在の再生位置だけでなくファイルの総再生時間を示す再生インジケータ４１０を含むことができる。”オプション”エレメント４１５は、複数の制御キー１２０のうちの１つに近接して設けられてもよい。ここで、それぞれの制御キー１２０の選択は、ディスプレイ１４０内に設けられているオプションメニュー４２０をもたらす。図４に示すように、オプションメニュー４２０は、”アラート／トーンの部分設定”エレメントを含んでもよく、制御キー１２０の操作による選択は以下の処理をトリガとしてもよい。
【００４２】
既存ファイルの一部を構成するか又は特定するコマンドを受信すると、モバイル端末１１０は、ユーザが手動又は自動でメディアファイルの一部を特定するか、又は、選択することを望むかどうかを判定する（ブロック３１０）。一実施形態において、モバイル端末１１０は、まず既存メディアファイルの一部（例えば、特定の１０秒を選択）を自動的に特定するように構成されてもよい。自動的に特定したメディアの一部は、その後ユーザによって手動で調整される。或いは、デフォルトのメディア選択が行なわれなくともよく、この場合は、ユーザが手動でメディアファイルの一部を選択する必要がある。或いは、ユーザがメディア選択の自動的な特定を要求する必要がある。
【００４３】
デフォルトによる又はユーザ選択による自動メディア選択が要求された場合（ブロック３１０で自動と判定）、処理部２５０は、特定可能な部分、又は、ユーザが興味を持つ部分における既存メディアファイルを解析する（ブロック３２０）。例えば、処理部２５０は、既存メディアファイル内のコーラス部分又は”フック（ｈｏｏｋ）”部分を特定してもよい。一実施形態において、フック部分は、既存メディアファイルの繰り返し部分又は実質的な繰り返し部分を検査することによって特定されうる。
【００４４】
既存メディアファイルの特定可能な部分又は興味のある部分の特定に続いて、モバイル端末１１０は、特定した部分の開始時間及び終了時間の表示をユーザに表示する（ブロック３３０）。モバイル端末１１０は、特定部分の調整値を受信してもよい（ブロック３４０）。例えば、ユーザは、メディアファイルの自動的に特定された部分をレビューするか、又は、再生することができ、開始が速すぎるか遅すぎるか、終了が速すぎるか遅すぎるか、長すぎるかなどを判定することができる。その後、ユーザは、要望に応じて、特定部分の開始時間及び終了時間を調整してもよい。
【００４５】
一実施形態において、ユーザは、ディスプレイ１４０上に提示されたユーザインタフェースエレメントとともに、制御キー１２０及びキーパッド１１５を組み合わせて用い、開始時間と終了時間を調整してもよい。或いは、ディスプレイ１４０は、当該ディスプレイ１４０上に設けられた、ユーザとユーザインタフェースエレメントとのやり取りを直接受信することが可能なタッチスクリーンディスプレイを含むことができる。
【００４６】
その後、モバイル端末１１０は、ユーザが特定部分をその後の使用のために保存することを望むか、又は、着信音やアラートなどの特定機能に特定部分を設定することを望むことを示す”名前を付けて保存（save as）”又は”名前を付けて設定（set as）”コマンドを受信する（ブロック３５０）。一実施形態において、”名前を付けて保存（save as）”又は”名前を付けて設定（set as）”コマンドの処理は、特定部分における名前を受信するステップを含むことができる。新たなメディアファイルを操作することと、生成することとの少なくとも一方を行なうよりも、むしろ既存メディアファイルの一部を特定することの方が、任意の既存のメディアファイル又はメディア技術を使用することができる。例えば、ポピュラーソングの一部が着呼中に着信音として動的に再生されてもよい。特に、歌、映画、テレビ番組などの、コピープロテクトのメディア又はデジタル権利管理メディアの特定部分がアラートや着信音などとして使用されうる。ここで、プロテクトされたファイルの操作や編集は他の方法で制限されている。
【００４７】
図５は、メディア部分の設定コマンドを受信した後にディスプレイ１４０に提示されるユーザインタフェース５００の一例を示す図である。図５に示すように、インタフェース５００は、再生インジケータ４１０と関連付けられた”コーラス選択”オプション５１０、開始選択エレメント５２０、及び終了選択エレメント５３０を含む。既存ファイルの一部の自動選択に続いて、開始選択エレメント５２０及び終了選択エレメント５３０は、それぞれが特定部分の開始位置及び終了位置に位置付けられる。インタフェース５００では、既存ファイルの特定部分が１：００に開始され、１：４５に終了される。ユーザは特定部分の開始時間及び終了時間を調整するために、開始選択エレメント５２０及び終了選択エレメント５３０とやり取りする。インタフェース５００は、さらに、”保存／設定”エレメント５４０を含む。”保存／設定”エレメント５４０が選択されると、モバイル端末１１０は、その後の使用のために特定部分の保存が可能になるか、或いは、着信音、アラート、発信者ＩＤなどの特定の機能に特定部分が割り当てることが可能となる。
【００４８】
自動特定が選択されなかった場合（デフォルトによるか又は明確なユーザの要望に従う場合）、モバイル端末１１０は、既存メディアファイルの選択部分特定する開始時間及び終了時間を受信する（ブロック３６０）。例えば、ユーザは、メディアファイルのレビュー中又は再生中に、メディアファイルの選択用に開始時間及び終了時間を特定し選択する。或いは、モバイル端末１１０は、選択部分用の開始時間及び終了時間の明確な指示値を受信してもよい。図５の例を用いると、モバイル端末１１０は、既存ファイルの選択部分を指定する開始選択エレメント５２０及び終了選択エレメント５３０とユーザとのやり取りを受信する。開始時間及び終了時間の手動選択に続いて、処理は上述したブロック３５０に進み、保存／設定コマンドを受信する。
【００４９】
図６は、既存のビデオファイル、アニメーションファイル、メディアファイルに関するメディア部分の設定コマンドを受信した後にディスプレイ１４０に提示されるユーザインタフェース６００の一例を示す図である。図６に示すように、インタフェース６００は、ビデオ／アニメーション再生領域６１０、再生インジケータ６２０、開始選択エレメント６３０、現在位置エレメント６４０、及び終了選択エレメント６５０を含むことができる。ビデオ再生領域６１０は、既存のビデオファイル又はマルチメディアファイルの表示又は再生用に提供される。再生インジケータ６２０及び現在位置インジケータは、選択ファイルの現在の表示位置を示す。図５を参照して上述したように、開始選択エレメント６３０及び終了選択エレメント６５０は、その後の使用のために保存されるべき又は割り当てられるべきメディアファイルの選択部分を特定するために操作される。インタフェース６００においては、ビデオファイル又はマルチメディアファイルの特定部分は、１：０６：２３に開始され、１：０６：５６に終了される。インタフェース６００は、さらに、”保存／設定”エレメント６６０を含むことができる。”保存／設定”エレメント６６０が選択されると、モバイル端末１１０は、その後の使用のために特定部分を保存することが可能となるか、或いは、背景画像、スクリーンセーバ、写真発信者ＩＤなどの特定の機能に特定部分を割り当てることが可能となる。
【００５０】
図７は、着信音として既存メディアファイルの特定部分を用いる場合のモバイル端末１１０の動作例を示すフローチャートである。当該処理は、モバイル端末１１０で着信呼を受信すると開始される（ブロック７００）。モバイル端末１１０は、特定部分に関連付けられたカスタマイズされた着信音が着信呼に応じて再生されるべきであるか否かを判定する（ブロック７０５）。いくつかの実施形態において、異なる着信音が異なるタイプの呼又は発信者に割り当てられてもよい。
【００５１】
特定部分に関連付けられたカスタマイズされた着信音が着信呼に応じて再生されるべきであると判定されると（ブロック７０５のＹｅｓ）、モバイル端末１１０は、特定部分に関連付けられた開始時間で、スピーカ１３０を介して既存メディアファイルの再生を開始する（ブロック７１０）。モバイル端末１１０は、特定部分に関連付けられた終了時間で既存メディアファイルの再生を停止する（ブロック７１５）。その後、予め定められた再生時間（例えば、３０秒）が経過したか否かが判定される（ブロック７２０）。経過していない（ブロック７２０でＮｏ）場合、特定部分の再生を繰り返すためにブロック７１０に処理が戻る。予め定められた再生時間が経過していれば（ブロック７２０でＹｅｓ）、処理を終了し、追加の再生は行なわれない。
【００５２】
特定部分に関連付けられたカスタマイズされた着信音が着信呼に応じて再生されるべきでないと判定されると（ブロック７０５でＮｏ）、モバイル端末１１０は、標準の着信音を再生してもよく、又は、バイブレーション、フラッシュライトなどのモバイル端末１１０に関連付けられた任意の他の呼出アラート機能を実行する（ブロック７２５）。既存メディアファイルの特定部分の再生が呼に応答するか、発信者に音声メールを送信するか、モバイル端末１１０を消音にするなどのユーザとモバイル端末１１０とのやりとりによって中断されてもよいことが理解されるべきである。
【００５３】
＜まとめ＞
上述したように、既存メディアファイルの一部の開始時間及び終了時間は、アラート、着信音、デスクトップの壁紙、写真発信者ＩＤ等として、特定部分の使用を可能にするように、特定され保存される。新たなメディアファイルを操作すること、及び、生成することの少なくとも一方よりもむしろ、既存メディアファイルの一部を特定することの方が、任意の既存のメディアファイル又はメディア技術を使用することができる。本発明の実施形態の上記説明では、図面及び説明を提供しているが、本発明を正式な形での開示を網羅するか又は限定することを意図しているわけではない。上記教示の観点で可能な修正及び変更が本発明を実施する上で必要とされてもよい。
【００５４】
さらに、図３及び図７において一連の動作について説明したが、動作の順序は、本発明に従って他の実施形態において変更されてもよい。さらには、非依存の動作は並行して実行されてもよい。
【００５５】
上述したように、本発明の態様がセルラ通信デバイス／システム、方法、及びコンピュータプログラムの少なくとも１つで実現されてもよい。したがって、本発明は、ハードウェア及びソフトウェア（ファームウェア、常駐ソフトウェア、マイクロコードなど）の少なくとも１つで実装されてもよい。さらに、本発明は、命令実行システムによって使用される、又は、命令実行システムにおいて使用される媒体に格納されたコンピュータで使用可能な又はコンピュータで読み取り可能な、コンピュータ使用可能記憶媒体又はコンピュータ読み取り可能記憶媒体上のコンピュータプログラムの形態をとってもよい。本発明の原理に従う実施形態に使用される実際のソフトウェアコード又は特定用途の制御ハードウェアは本発明を限定するものではない。このように、実施形態での動作及び振る舞いが特定のソフトウェアコードを参照することなく説明されたが、当業者にはここでの説明に基づいて実施形態を実現するソフトウェア及び制御ハードウェアを設計することができるということが理解されるべきである。
【００５６】
さらに、「備える（comprises）」と、「備えている（comprising）」という用語は、本明細書で使用される場合、上述の特徴、数値、ステップ、要素とコンポーネントの少なくともいずれかの存在を特定する用語であるが、１以上の他の特徴、数値、ステップ、要素及びこれらのグループの少なくともいずれかの存在又は追加を除外するものではないことをさらに理解されたい。
【００５７】
本実施形態の説明で使用されるエレメント、動作又は命令は、別段の定めがない限り、本発明にとって重要な又は本質的なものとして解釈されべきではない。また、ここで使用される先行詞”ａ”は１つ以上のアイテムを含むことを意図している。さらに、個々で使用されるフレーズ”基づいて”は、別段の定めがなければ、少なくとも部分的に”基づく”ということを意味することを意図している。
【００５８】
本発明の範囲は、特許請求の範囲及びその均等の範囲によって定義される。
【図１】
2010527532.tif 000003
【図２】
2010527532.tif 000004
【図３】
2010527532.tif 000005
【図４】
2010527532.tif 000006
【図５】
2010527532.tif 000007
【図６】
2010527532.tif 000008
【図７】
2010527532.tif 000009
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
モバイル通信デバイス内の既存のメディアファイルの一部を自動的に特定するステップと、
着信呼を受信するステップと、
受信した前記着信呼に応じて、前記既存のメディアファイルの特定された特定部分を再生するステップと
を含み、
前記特定部分は、前記既存のメディアファイルの繰り返し部分又は実質的な繰り返し部分を含むことを特徴とする自動化方法。
【請求項２】
前記既存のメディアファイルの前記特定部分は、開始時間の指示値及び終了時間の指示値を含むことを特徴とする請求項１に記載の自動化方法。
【請求項３】
前記既存のメディアファイルの前記特定部分は、開始時間の指示値及び終了時間の指示値の１つを含むことを特徴とする請求項１に記載の自動化方法。
【請求項４】
前記既存のメディアファイルは、デジタル権利管理メディアファイルを含むことを特徴とする請求項１に記載の自動化方法。
【請求項５】
前記既存のメディアファイルは、デジタル権利管理によって保護されていることを特徴とする請求項１に記載の自動化方法。
【請求項６】
前記既存のメディアファイルは、オーディオファイル、ビデオファイル、又はマルチメディアファイルであることを特徴とする請求項１に記載の自動化方法。
【請求項７】
前記既存のメディアファイルの特定可能な部分は、前記既存メディアファイルのコーラス部分を含むことを特徴とする請求項１に記載の自動化方法。
【請求項８】
既存のメディアファイルの一部を自動的に特定するステップと、
前記特定された特定部分を動作に割り当てるステップと、
前記割り当てた動作に従って前記既存のメディアファイルの前記特定部分を再生するステップと
を含み、
既存のメディアファイルの一部を自動的に特定する前記ステップは、前記既存のメディアファイルの繰り返し部分又は実質的な繰り返し部分を検査するステップを含むことを特徴とする自動化方法。
【請求項９】
前記動作は、着信呼の受信、着信メッセージの受信、アラートの実行、リマインダの実行、背景画像の表示、スクリーンセーバの表示、又は、発信者識別エレメントの表示を含むことを特徴とする請求項８に記載の自動化方法。
【請求項１０】
既存のメディアファイルの一部を特定する前記ステップは、
前記既存メディアファイル内での開始時間を特定するステップと、
前記既存メディアファイル内での終了時間を特定するステップと
を含むことを特徴とする請求項８に記載の自動化方法。
【請求項１１】
既存のメディアファイルの一部を特定する前記ステップは、
前記既存のメディアファイルの一部の開始時間を、自動的に判定された特定可能な部分の開始時間に設定するステップと、
前記既存のメディアファイルの一部の終了時間を、自動的に判定された特定可能な部分の終了時間に設定するステップと
を含むことを特徴とする請求項８に記載の自動化方法。
【請求項１２】
前記既存のメディアファイルの一部の開始時間、又は、前記既存のメディアファイルの一部の終了時間の調整値を受信するステップをさらに含むことを特徴とする請求項１１に記載の自動化方法。
【請求項１３】
モバイルデバイスであって、
ディスプレイと、
スピーカと、
既存のメディアファイルを格納するメモリと、
前記既存のメディアファイルの繰り返し部分又は実質的な繰り返し部分を特定するために、前記既存のメディアファイルを解析する第１ロジック部と、
前記モバイルデバイスに関連する動作の実行に、前記特定された特定部分を割り当てる第２ロジック部と、
前記動作の実行に関連付けられた実行コマンドに応じて、前記ディスプレイ及び前記スピーカの少なくとも１つを介して、前記既存のメディアファイルの前記特定部分を出力する第３ロジック部と
を備えることを特徴とするモバイルデバイス。
【請求項１４】
前記第１ロジック部は、さらに、前記既存のメディアファイルの前記特定部分の表示を前記ディスプレイに出力することを特徴とする請求項１３に記載のモバイルデバイス。
【請求項１５】
前記第１ロジック部は、さらに、前記既存のメディアファイルの前記特定部分に対する調整値を受信することを特徴とする請求項１３に記載のモバイルデバイス。
【請求項１６】
前記動作は、受信呼に応じて発生される着信音再生コマンドを含むことを特徴とする請求項１３に記載のモバイルデバイス。
【請求項１７】
前記動作は、受信メッセージに応じて発生されるメッセージアラート再生コマンドを含むことを特徴とする請求項１３に記載のモバイルデバイス。
【請求項１８】
前記モバイルデバイスは、携帯通信デバイスを含むことを特徴とする請求項１３に記載のモバイルデバイス。
【請求項１９】
携帯通信デバイスであって、
オーディオ及びビデオを出力する手段と、
メディアファイルを格納する手段と、
前記格納されたメディアファイルの一部を特定する手段と、
前記特定した特定部分をイベントに割り当てる手段と、
前記割り当てられたイベントに応じて、前記格納されたメディアファイルの前記特定部分を出力する手段と
を備え、
前記特定部分は、前記既存のメディアファイルの繰り返し部分又は実質的な繰り返し部分を含むことを特徴とする携帯通信デバイス。
【請求項２０】
前記格納されたメディアファイルの前記特定部分は、前記格納されたメディアファイルの全体よりも小さいことを特徴とする請求項１９に記載の携帯通信デバイス。
【手続補正２】
【補正対象書類名】明細書
【補正対象項目名】００２１
【補正方法】変更
【補正の内容】
【００２１】
また、前記モバイルデバイスは、携帯通信デバイスを含むことを特徴とする。他の形態によれば、携帯通信デバイスとして実現できる。携帯通信デバイスは、オーディオ及びビデオを出力する手段と、メディアファイルを格納する手段と、前記格納されたメディアファイルの一部を特定する手段と、前記特定した特定部分をイベントに割り当てる手段と、前記割り当てられたイベントに応じて、前記格納されたメディアファイルの前記特定部分を出力する手段とを備える。
【手続補正３】
【補正対象書類名】明細書
【補正対象項目名】００２２
【補正方法】削除
【補正の内容】
【手続補正４】
【補正対象書類名】図面
【補正対象項目名】図６
【補正方法】変更
【補正の内容】
【図６】
2010527532.tif 000010
【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
既存のメディアファイルの一部を自動的に特定するステップと、
前記特定された特定部分を動作に割り当てるステップと、
前記割り当てた動作に従って前記既存のメディアファイルの前記特定部分を再生するステップと
を含み、
既存のメディアファイルの一部を自動的に特定する前記ステップは、前記既存のメディアファイルの繰り返し部分又は実質的な繰り返し部分を検査するステップを含むことを特徴とする自動化方法。
【請求項２】
前記動作は、着信呼の受信、着信メッセージの受信、アラートの実行、リマインダの実行、背景画像の表示、スクリーンセーバの表示、又は、発信者識別エレメントの表示を含むことを特徴とする請求項１に記載の自動化方法。
【請求項３】
既存のメディアファイルの一部を自動的に特定する前記ステップは、
前記既存メディアファイル内での開始時間を特定するステップと、
前記既存メディアファイル内での終了時間を特定するステップと
を含むことを特徴とする請求項１に記載の自動化方法。
【請求項４】
既存のメディアファイルの一部を特定する前記ステップは、
前記既存のメディアファイルの一部の開始時間を、自動的に判定された特定可能な部分の開始時間に設定するステップと、
前記既存のメディアファイルの一部の終了時間を、自動的に判定された特定可能な部分の終了時間に設定するステップと
を含むことを特徴とする請求項１に記載の自動化方法。
【請求項５】
前記既存のメディアファイルの一部の開始時間、又は、前記既存のメディアファイルの一部の終了時間の調整値を受信するステップをさらに含むことを特徴とする請求項３又は４に記載の自動化方法。
【請求項６】
モバイルデバイスであって、
ディスプレイと、
スピーカと、
既存のメディアファイルを格納するメモリと、
前記既存のメディアファイルの繰り返し部分又は実質的な繰り返し部分を特定するために、前記既存のメディアファイルを解析する第１ロジック部と、
前記モバイルデバイスに関連する動作の実行に、前記特定された特定部分を割り当てる第２ロジック部と、
前記動作の実行に関連付けられた実行コマンドに応じて、前記ディスプレイ及び前記スピーカの少なくとも１つを介して、前記既存のメディアファイルの前記特定部分を出力する第３ロジック部と
を備えることを特徴とするモバイルデバイス。
【請求項７】
前記第１ロジック部は、さらに、前記既存のメディアファイルの前記特定部分の表示を前記ディスプレイに出力することを特徴とする請求項６に記載のモバイルデバイス。
【請求項８】
前記第１ロジック部は、さらに、前記既存のメディアファイルの前記特定部分に対する調整値を受信することを特徴とする請求項６に記載のモバイルデバイス。
【請求項９】
前記動作は、受信呼に応じて発生される着信音再生コマンドを含むことを特徴とする請求項６に記載のモバイルデバイス。
【請求項１０】
前記動作は、受信メッセージに応じて発生されるメッセージアラート再生コマンドを含むことを特徴とする請求項６に記載のモバイルデバイス。
【国際調査報告】
2010527532.tif 000011
2010527532.tif 000012
2010527532.tif 000013